(57)【要約】【課題】簡単な構成でありながらも、必要な位置決め精度を確保しつつ外力を吸収できる構造を有する小型のレンズ装置を実現する。【解決手段】レンズ装置は、レンズ１０１を保持する第１の鏡筒２０３と、光軸方向において第１の鏡筒の物体側の端部よりも像側に配置され、第１の鏡筒の光軸方向への移動を許容するように該第１の鏡筒に組み合わされる第２の鏡筒２０４と、第１および第２の鏡筒のうち一方の鏡筒に取り付けられた位置決め部材２０５と、第１の鏡筒と第２の鏡筒との間に配置され、第１の鏡筒を第２の鏡筒に対して物体側に付勢する弾性部材２０６とを有する。第１の鏡筒は、第１および第２の鏡筒のうち他方の鏡筒が弾性部材の付勢力によって位置決め部材に当接することで、第２の鏡筒に対して、外力による像側への移動が許容された状態で光軸方向にて位置決めされる。 【選択図】図１
2014089362.tif 000002
【特許請求の範囲】
【請求項１】
レンズを保持する第１の鏡筒と、
光軸方向において前記第１の鏡筒の物体側の端部よりも像側に配置され、前記第１の鏡筒の前記光軸方向への移動を許容するように該第１の鏡筒に組み合わされる第２の鏡筒と、
前記第１および第２の鏡筒のうち一方の鏡筒に取り付けられた位置決め部材と、
前記第１の鏡筒と前記第２の鏡筒との間に配置され、前記第１の鏡筒を前記第２の鏡筒に対して前記物体側に付勢する弾性部材とを有し、
前記第１の鏡筒は、前記第１および第２の鏡筒のうち他方の鏡筒が前記弾性部材の付勢力によって前記位置決め部材に当接することで、前記第２の鏡筒に対して、外力による前記像側への移動が許容された状態で、前記物体側の所定位置に位置決めされることを特徴とするレンズ装置。 
【請求項２】
前記位置決め部材は、
前記一方の鏡筒に締結される締結部と、
前記他方の鏡筒が前記弾性部材の付勢力によって当接する当接部と、
前記締結部と前記当接部との間に設けられ、前記第１の鏡筒の前記光軸方向への移動を許容する中間部とを有することを特徴とする請求項１に記載のレンズ装置。
【請求項３】
前記位置決め部材は、
前記締結部および前記当接部を有する第１の位置決め部材と、
該第１の位置決め部材における前記締結部と前記当接部との間の部分の外周に配置されて前記中間部を形成するとともに、前記当接部と前記一方の鏡筒とに当接することで前記第１の位置決め部材の前記一方の鏡筒に対する前記光軸方向での位置決めを行う第２の位置決め部材とにより構成されていることを特徴とする請求項２に記載のレンズ装置。
【請求項４】
前記位置決め部材が前記一方の鏡筒における周方向の複数箇所に取り付けられ、
前記他方の鏡筒は、その周方向の複数箇所に、該複数の位置決め部材のそれぞれの前記中間部が挿入される穴部を有しており、
該複数の穴部のうち１つの穴部は前記中間部の外周面全体に係合し、他の１つの穴部は前記中間部の外周面のうち一部と係合し、残りの穴部は前記中間部の外周面全体に対して隙間を形成することを特徴とする請求項１から３のいずれか１項に記載のレンズ装置。
【請求項５】
前記弾性部材は、前記中間部の外周を囲むように配置されていることを特徴とする請求項１から４のいずれかに記載のレンズ装置。
【請求項６】
カム部が設けられ、光軸回りで回転可能なカム筒を有し、
前記第２の鏡筒に、前記カム部に係合するカムフォロワが設けられており、
前記カム部は、前記カム筒が回転することにより前記カムフォロワを介して前記第１および第２の鏡筒を前記光軸方向に移動させる領域と、前記カム筒が回転しても前記カムフォロワを介して前記第１および第２の鏡筒を前記光軸方向に移動させない領域とを有することを特徴とする請求項１から５のいずれか一項に記載のレンズ装置。
【請求項７】
請求項１から６のいずれか一項に記載のレンズ装置により形成された被写体像を撮像することを特徴する撮像装置。
【発明の詳細な説明】
【技術分野】
【０００１】
本発明は、外力吸収構造を有するレンズ装置に関する。
【背景技術】
【０００２】
レンズ装置等の光学機器には、光学性能だけでなく、衝撃等の外力に対する耐久性も求められている。特許文献１，２には、外力吸収機構を備えたレンズ装置が開示されている。
【０００３】
特許文献１にて開示されたレンズ装置は、第１レンズ群を保持する保持部材と該保持部材の外周の前部に配置され、フィルタ等の光学部材が取り付けられる環状部材との間に、調整部材および付勢部材を挟んだ構成を有する。この構成では、外力が環状部材に作用すると、環状部材が付勢部材を圧縮しながら調整部材に当接する位置まで後退することで外力を吸収する。また、特許文献２にて開示されたレンズ装置は、レンズを保持した前側鏡筒と該前側鏡筒が移動可能に挿入された後側鏡筒とにテーパー面を形成し、第１の鏡筒を付勢部材により光軸方向に付勢して両鏡筒のテーパー面同士を当接させた構成を有する。この構成では、光軸方向だけでなく光軸に直交する方向に作用する外力をも吸収する。
【先行技術文献】
【特許文献】
【０００４】
【特許文献１】特開平１０−２９３２３８号公報
【特許文献２】特開２００６−６４９３０号公報
【発明の概要】
【発明が解決しようとする課題】
【０００５】
しかしながら、特許文献１にて開示されたレンズ装置では、保持部材により保持された第１レンズ群に対して環状部材が後退する構成であるために、特に広角レンズのような画角の広いレンズでは、レンズ装置が径方向にて大型化するおそれがある。すなわち、後退した環状部材が第１レンズ群に干渉しないようにするためには、環状部材を第１レンズ群から径方向に離して配置する必要がある。画角の広いレンズでは、その周辺部に光軸に対して大きな角度を有する光線が入射するため、環状部材による該光線のケラレを防止するためには環状部材の径を大きくする必要がある。この結果、レンズ装置の径方向での大型化につながる。
【０００６】
また、特許文献２にて開示されたレンズ装置では、レンズ群を保持する前側鏡筒の光軸方向や光軸に直交する方向での後側鏡筒に対する位置決めが、両鏡筒のテーパー面の当接によって行われるため、位置決め精度が低くなるおそれがある。
【０００７】
本発明は、簡単な構成でありながらも、必要な位置決め精度を確保しつつ外力を吸収できる構造を有する小型のレンズ装置を提供する。
【課題を解決するための手段】
【０００８】
本発明の一側面としてのレンズ装置は、レンズを保持する第１の鏡筒と、光軸方向において第１の鏡筒の物体側の端部よりも像側に配置され、第１の鏡筒の光軸方向への移動を許容するように該第１の鏡筒に組み合わされる第２の鏡筒と、第１および第２の鏡筒のうち一方の鏡筒に取り付けられた位置決め部材と、第１の鏡筒と第２の鏡筒との間に配置され、第１の鏡筒を第２の鏡筒に対して物体側に付勢する弾性部材とを有する。そして、第１の鏡筒は、第１および第２の鏡筒のうち他方の鏡筒が弾性部材の付勢力によって位置決め部材に当接することで、第２の鏡筒に対して、外力による像側への移動が許容された状態で光軸方向にて位置決めされることを特徴とする。 
【０００９】
なお、上記レンズ装置を備えた撮像装置も、本発明の他の一側面を構成する。
【発明の効果】
【００１０】
本発明によれば、簡単な構成でありながらも、前側鏡筒の後側鏡筒に対する位置決め精度を確保しつつ、衝撃等の外力を効果的に吸収できる構造を有した小型のレンズ装置を実現することができる。
【図面の簡単な説明】
【００１１】
【図１】本発明の実施例１である交換レンズの構成を示す断面図。
【図２】実施例１の交換レンズを装着した撮像装置の断面図。
【図３】実施例１の交換レンズの正面図。
【図４】本発明の実施例２である交換レンズ断面図。
【発明を実施するための形態】
【００１２】
以下、本発明の実施例について図面を参照しながら説明する。
【実施例１】
【００１３】
図２には、本発明の実施例１であるレンズ装置としての交換レンズ２と、該交換レンズが取り外し可能に装着された撮像装置としてのデジタル一眼レフカメラ（以下、単にカメラという）１とを示している。図２では、交換レンズ２内の撮影光学系の光軸ＡＸＬが延びる方向（以下、光軸方向という）をＺ方向とし、光軸ＡＸＬに対して直交する方向のうち後述する撮像素子６の長辺方向をＸ方向、短辺方向をＹ方向としている。また、図２において、光軸方向（Ｚ方向）のうち左側が物体側（被写体側）に相当し、右側が像側に相当する。以下の説明では、物体側を前側ともいい、像側を後側ともいう。
【００１４】
まず、カメラ１の構成について説明する。メインミラー３は、図２に示すように交換レンズ２（撮影光学系）からの光路上に配置された状態で、交換レンズ２からの光束の一部を反射してファインダ光学系７，８に導き、残りの光束を透過させる。
【００１５】
メインミラー３の背後にはサブミラー４が配置されている。サブミラー４は、メインミラー３を透過した光束を反射して焦点検出ユニット５に導く。メインミラー３およびサブミラー４は、不図示の駆動機構によって上記光路に対して進退される。焦点検出ユニット５は、位相差検出方式により焦点検出（交換レンズ２の焦点状態の検出）を行う。
【００１６】
撮像素子６は、ＣＣＤセンサ又はＣＭＯＳセンサにより構成される。撮像素子６の受光面（撮像面）上には、交換レンズ２からの光束により物体像（被写体像）が形成される。撮像素子６は、物体像を光電変換し、撮像信号を出力する。
【００１７】
９はディスプレイパネルであり、撮像素子６からの信号を不図示の信号処理部にて処理して得られた画像や、様々な撮像情報を表示する。
【００１８】
次に、交換レンズ２の構成について説明する。交換レンズ２内の撮影光学系は、物体側から像側に順に配置された、第１レンズ群１０１、第２レンズ群１０２、第３レンズ群１０３、第４レンズ群１０４、第５レンズ群１０５、第６レンズ群１０６および第７レンズ群１０７を含む。また、撮影光学系は、第４レンズ群１０４と第５レンズ群１０５との間に配置された絞り１０８を含む。
【００１９】
第１、第３、第４および第５レンズ群１０１，１０３，１０４，１０５は、ズーム操作環４１が回転操作されてカム筒２４が光軸回りで回転することで、光軸方向に移動して変倍を行う変倍レンズ群である。第２レンズ群１０２は、フォーカスユニット１０９からの駆動力を受けて又はフォーカス操作環４２が回転操作されることで光軸方向に移動して焦点調節を行うフォーカスレンズ群である。第６レンズ群１０６は、不図示の防振ユニットからの駆動力を受けて光軸ＡＸＬに直交する方向にシフトして像振れを低減する防振レンズ群である。絞り１０８は、カメラ１に入射する光量を調節するために、その開口径が可変である。
【００２０】
２１は外装環であり、その後端には、カメラ１のマウントに対して着脱が可能なレンズマウント４３が固定されている。２２は外装環２１の内側に配置された固定筒であり、外装環２１に固定されている。２３は固定筒２２の内側に配置された案内筒であり、この案内筒２３には、光軸方向に延びる不図示の直進溝部が形成されている。
【００２１】
カム筒２４は、固定筒２２と案内筒２３との間に、案内筒２３の外周に接しながら光軸回りで回転可能に配置されている。カム筒２４には、不図示のカム溝部(カム部)が形成されている。
【００２２】
２０３は第１の鏡筒としての前側鏡筒であり、その前部は外装環２１よりも前側に突出し、後部は固定筒２２の内側に配置されている。２０２は第１レンズ群１０１を保持する第１レンズ保持枠であり、前側鏡筒２０３の前部の内側に取り付けられている。２０４は第２の鏡筒としての後側鏡筒であり、前側鏡筒２０３の後部の内側に配置され（すなわち、少なくとも前側鏡筒２０３の物体側の端部である前端部よりも像側に配置され）ている。後側鏡筒２０４は、後述する外力吸収構造を介して、前側鏡筒２０３の光軸方向への移動を許容するように該前側鏡筒２０３に組み合わされる。
【００２３】
前側鏡筒２０３、後側鏡筒２０４および第１レンズ保持枠２０２により、第１レンズ群１０１を保持しつつ交換レンズ２内において光軸方向に移動可能な１群保持移動筒が構成される。
【００２４】
２５は後側鏡筒２０４に取り付けられたカムフォロワであり、カム筒２４のカム溝部と案内筒２３の直進溝部とに係合している。ズーム操作環４１の回転操作によってカム筒２４が回転されると、カムフォロワ２５はカム溝部からそのリフトに応じた光軸方向への駆動力を受け、直進溝部にガイドされながら光軸方向に移動する。これにより、１群保持移動筒が第１レンズ群１０１とともに光軸方向に移動する。
【００２５】
ただし、カム筒２４のカム溝部には、上記のようにリフトによって１群保持移動筒を移動させる領域だけでなく、リフトが０（つまり光軸方向に対してカム溝部が延びる方向がなす角度が９０°）の領域が存在する。この零リフト領域では、カム筒２４が回転してもカムフォロワ２５に駆動力を与えず、１群保持移動筒も光軸方向に移動させない。
【００２６】
カムフォロワ２５がこの零リフト領域にある状態で前側鏡筒２０３に後方に向かう外力が作用すると、カムフォロワ２５がカム溝部に沿って移動して（カム筒２４を回転させて）外力を逃がすことができないために、カムフォロワ２５が破損するおそれがある。また、カム溝部のカム面にカムフォロワ２５が強く押し付けられて、カム面に傷（凹み等）がつく可能性もある。このため、本実施例では、１群移動筒における前側鏡筒２０３と後側鏡筒２０４との間に外力吸収構造を設けている。
【００２７】
図１には、図２に示した交換レンズ２のうち前側鏡筒２０３、後側鏡筒２０４および第１レンズ群１０１を保持した第１レンズ保持枠２０２を示すとともに、上述した外力吸収構造の詳細な構成を示している。なお、図１には、交換レンズ２の前端に外力や衝撃が作用する前（通常状態）を実線で示している。
【００２８】
第１レンズ保持枠２０２は、第１レンズ群２０１を保持するレンズ保持部２０２ａと、後述する前側鏡筒２０３に取り付けられる鏡筒取付け部２０２ｂとを有する。
【００２９】
前側鏡筒２０３は、第１レンズ保持枠２０２の鏡筒取付け部２０２ｂが取り付けられることで第１レンズ保持枠２０２を保持する鏡筒保持部２０３ａを有する。前側鏡筒２０３は、後述する位置決め部材としての位置決めピン２０５に設けられたストッパ部２０５ａに当接するストッパ受け部２０３ｂと、位置決めピン２０５の中間軸部２０５ｂが挿入されるピン挿入穴部２０３ｃとを有する。さらに、前側鏡筒２０３は、後述する弾性部材としてのコイルばね２０６の前端部の当接を受けるばね受け部２０３ｄを有する。
【００３０】
また、前側鏡筒２０３の前端部には、プロテクトフィルタ、ＮＤフィルタ、ＰＬフィルタ等の光学フィルタが着脱可能に取り付けられるフィルタ取付け部２０３ｅが設けられている。
【００３１】
後側鏡筒２０４は、位置決めピン２０５に設けられた雄ねじ部２０５ｃが取り付けられる（締め込まれる）位置決めピン取付け部としての雌ねじ部２０４ａと、コイルばね２０６の後端部の当接を受けるばね受け部２０４ｂとを有する。本実施例では、後部鏡筒２０４が「一方の鏡筒」に相当し、前側鏡筒２０３が「他方の鏡筒」に相当する。
【００３２】
また、後側鏡筒２０４は、その後部に、上述したカムフォロワ２５が取り付けられるフォロワ取付け部２０４ｃを有する。本実施例では、前側および後側鏡筒２０３，２０４は、変倍のために光軸方向に移動する部材であるが、焦点調節のために光軸方向に移動する部材であってもよいし、光軸方向において不動の（固定された）部材であってもよい。
【００３３】
位置決めピン２０５は、その前端部にて該ピン２０５の径方向に突出するように形成された当接部としてのストッパ部２０５ａと、その後部に形成された締結部としての雄ねじ部２０５ｃとを有する。さらに、位置決めピン２０５は、ストッパ部２０５ａと雄ねじ部２０５ｃとの間に光軸方向に延びるように形成された中間部としての軸部２０５ｂを有する。上述したように雄ねじ部２０５ｃが後側鏡筒２０４の雌ねじ部２０４ａに締め込まれる（締結される）ことで、位置決めピン２０５は、後側鏡筒２０４（一方の鏡筒）と一体化される。
【００３４】
コイルばね２０６は、前側鏡筒２０３のばね受け部２０３ｄと後側鏡筒２０４のばね受け部２０４ｂとの間に光軸方向において圧縮された状態で配置され、前側鏡筒２０３を後側鏡筒２０４に対して前側に付勢する。通常状態では、コイルばね２０６の付勢力により、前側鏡筒２０３のストッパ受け部２０３ｂが位置決めピン２０５のストッパ部２０５ａに後方から当接（圧接）し、前側鏡筒２０３の後側鏡筒２０４に対するそれ以上の前側への移動（抜け）が阻止される。
【００３５】
このように構成された交換レンズにおいて、前側鏡筒２０３のピン挿入穴部２０３ｃが、後側鏡筒２０４に一体化された位置決めピン２０５の軸部２０５ｂに嵌合（係合）することで、後側鏡筒２０４に対して光軸に直交する方向（面内）にて位置決めされる。
【００３６】
さらに、前述したようにコイルばね２０６の付勢力によって前側鏡筒２０３のストッパ受け部２０３ｂが位置決めピン２０５のストッパ部２０５ａに当接する。これにより、前側鏡筒２０３は、後側鏡筒２０４に対して、その前端部が後部鏡筒２０４よりも前側に位置する光軸方向における所定位置に位置決めされる。
【００３７】
そして、前側鏡筒２０３は、後側鏡筒２０４に対する後側への移動が許容されている。このため、前側鏡筒２０３の前側から外力（静的な外力や衝撃等）Ｆを受けた外力作用状態では、図中に２点鎖線で示すように、前側鏡筒２０３は、位置決めピン２０５および後側鏡筒２０４に対して、コイルばね２０６を圧縮しながら後側に移動する。これにより外力Ｆを吸収することができる。このようにして、外力吸収構造（または衝撃吸収構造）が構成される。
【００３８】
前側鏡筒２０３の内周部には後退ストッパ部２０３ｆが形成されている。この後退ストッパ部２０３ｆは、前側鏡筒２０３が外力Ｆによって後側鏡筒２０４に対して所定量だけ後方に移動した際に、後側鏡筒２０４の内周部に形成されたストッパ受け部２０４ｄに当接し、前側鏡筒２０３のそれ以上の後方への移動を阻止する。これにより、第１レンズ群１０１がその像側に配置された第２レンズ群１０２と干渉したり、コイルばね２０６が過度に圧縮されたりすることが防止される。
【００３９】
図３には、前側鏡筒２０３を物体側から見て示している。図２に示したピン挿入穴部２０３ｃは、前側鏡筒２０３における周方向の複数箇所（本実施例では５箇所）２０３ｃ−１〜２０３ｃ−５に設けられている。これらピン挿入穴部２０３ｃ−１〜２０３ｃ−５のそれぞれには、図２に示した位置決めピン２０５の軸部２０５ｂが挿入される。ピン挿入穴部２０３ｃ−１〜２０３ｃ−５のうち１つのピン挿入穴部２０３ｃ−１は丸穴形状を有する。このピン挿入穴部２０３ｃ−１が、図２に示したピン挿入穴部２０３ｃに相当し、ここに挿入された位置決めピン２０５の軸部２０５ｂの外周面全体に対して嵌合（係合）する。
【００４０】
また、他の１つのピン挿入穴部２０３ｃ−２は、特定の径方向（図２の上下方向）を長手方向とする長穴形状を有する。このピン挿入穴部２０３ｃ−２は、ここに挿入された位置決めピン２０５における軸部２０５ｂの外周面のうち上記長手方向に直交する幅方向の両側部分（つまりは外周面の一部）に係合し、前側鏡筒２０３の該長手方向への変位を許容する。これにより、前側鏡筒２０３の後側鏡筒２０４に対する光軸に直交する面内での位置決めがなされる。他のピン挿入穴部２０３ｃ−３〜２０３ｃ−５は、これらに挿入された位置決めピン２０５の軸部２０５ｂの外周面全体に対して所定の隙間を形成する、つまりピン挿入穴部２０３ｃ−３〜２０３ｃ−５は、軸部２０５ｂの外周面とは係合しない内径を有する。
【００４１】
前述したコイルばね２０６は、ピン挿入穴部２０３ｃ−１〜２０３ｃ−５のそれぞれに挿入された位置決めピン２０５の軸部２０５ｂの外周に、該軸部２０５ｂを囲むように配置されている。このように複数の位置決めピン２０５のそれぞれの外周にコイルばね２０６を配置することにより、前側鏡筒２０３の内径部の全周に当接する大きな径を有する１つのコイルばねを配置する場合に比べて、前側および後側鏡筒２０３，２０４を小型化することができる。１つの大きな径のコイルばねを用いる場合は、位置決めピン２０５との径方向でのオーバーラップを回避するために、これらを光軸方向または径方向にて離して配置する必要があり、この結果、前側および後側鏡筒２０３，２０４が光軸方向や径方向にて大型化する。
【００４２】
前側鏡筒２０３と後側鏡筒２０４とを組み付ける際には、例えば、まず前側鏡筒２０３のピン挿入穴部２０３ｃ−１〜２０３ｃ−５の後側にコイルばね２０６を配置し、コイルばね２０６の前端部を前側鏡筒２０３のばね受け部２０３ｄに当接させる。そして、前側鏡筒２０３の内側に後側から後側鏡筒２０４を挿入し、後側鏡筒２０４のばね受け部２０４ｂをコイルばね２０６の後端部に当接させる。次に、ピン挿入穴部２０３ｃ−１〜２０３ｃ−５に位置決めピン２０５を挿入し、該位置決めピン２０５の雄ねじ部２０５ｃを後側鏡筒２０４の雌ねじ部２０４ａに締め込む。続いて、前側鏡筒２０３に、第１レンズ群１０１を保持した第１レンズ保持枠２０２を取り付ける。
【００４３】
なお、本実施例では、弾性部材としてコイルばね２０６を用いているが、板ばね等、他の弾性部材を用いてもよい。
【００４４】
また、本実施例では、位置決めピン２０５が後側鏡筒２０４に取り付けられている場合について説明したが、前側鏡筒２０３に取り付けられてもよい。すなわち、位置決めピン２０５は、前側鏡筒２０３および後側鏡筒２０４のうち一方に取り付けられていればよい。この場合、前側鏡筒２０３に対して一体化された位置決めピン２０５の軸部２０５ｃが後側鏡筒２０４のピン挿入穴部に嵌合することで、前側鏡筒２０３が後側鏡筒２０４に対して光軸方向に直交する面内で位置決めされる。また、コイルばね２０６の付勢力によって、位置決めピン２０５のストッパ部に後側鏡筒２０４が当接することで、前側鏡筒２０３は後側鏡筒２０４に対して光軸方向にて位置決めされる。
【実施例２】
【００４５】
図４には、本発明の実施例２である交換レンズのうち外力吸収構造を含む前側鏡筒２０３および後側鏡筒２０４を示している。本実施例では、実施例１と共通する構成要素には実施例１と同符号を付してそれらの説明は省略し、実施例１との相違を中心に説明する。
【００４６】
前側鏡筒２０３のピン挿入穴部２０３ｃには、円筒形状に形成された第２の位置決め部材としてのスリーブ部材２０７の前部２０７ａが挿入され、さらにスリーブ部材２０７の内側には第１の位置決め部材としての位置決めピン２０５が挿入されている。
【００４７】
スリーブ部材２０７のうち前部２０７ａよりも後方に延びる部分の外周にはコイルばね２０６が配置されている。スリーブ部材２０７の後部２０７ｂは、後側鏡筒２０４における雌ねじ部２０４ａの前側に形成された穴部２０４ｅに挿入（圧入）され、後部２０７ｂの後端面は穴部２０４ｅの底面に当接している。一方、スリーブ部材２０７の前端面２０７ｃは、位置決めピン２０５のストッパ部２０５ａに当接している。スリーブ部材２０７は、前側補鏡筒２０３の光軸方向への移動を許容する中間部を形成する。
【００４８】
本実施例では、前側鏡筒２０３のピン挿入穴部２０３ｃと、後側鏡筒２０４の穴部２０４ｅに圧入されたスリーブ部材２０７の前部２０７ａとが嵌合（係合）することで、前側鏡筒２０３の後側鏡筒２０４に対する光軸に直交する面内での位置決めがなされる。また、スリーブ部材２０７の後端面が後側鏡筒２０４の穴部２０４ｅの底面に当接し、スリーブ部材２０７の前端面２０７ｃが位置決めピン２０５のストッパ部２０５ａに当接する。これにより、位置決めピン２０５（ストッパ部２０５ａ）の後側鏡筒２０４に対する光軸方向での位置が決まる。このため、位置決めピン２０５のストッパ部２０５ａに、コイルばね２０６により前方に向かって付勢された前側鏡筒２０３のストッパ受け部２０３ｂが後方から当接することで、前側鏡筒２０３の後側鏡筒２０４に対する光軸方向での位置決めがなされる。
【００４９】
本実施例でも、前側鏡筒２０３の前側から外力Ｆを受けた外力作用状態では、図中に２点鎖線で示すように、前側鏡筒２０３は、スリーブ部材２０７、位置決めピン２０５および後側鏡筒２０４に対してコイルばね２０６を圧縮しながら後側に移動する。これにより外力Ｆを吸収することができる。
【００５０】
本実施例では、組み立て時において、まずスリーブ部材２０７の後部２０７ｂを後側鏡筒２０４の穴部２０４ｅに圧入し、該スリーブ部材２０７の後端面を穴部２０４ｅの底面に当接させるとともにスリーブ部材２０７を後側鏡筒２０４に保持させる。そして、コイルばね２０６をスリーブ部材２０７の外周に配置した後、後側鏡筒２０４を前側鏡筒２０３の内側に後側から組み付ける。このとき、スリーブ部材２０７の前部２０７ａを前側鏡筒２０３のピン挿入穴部２０３ｃに嵌合させる。次に、位置決めピン２０５を、スリーブ部材２０７の内側に前側から挿入し、そのストッパ部２０５ａがスリーブ部材２０７の前端面２０７ｃに当接するまで、雄ねじ部２０５ｃを後側鏡筒２０４の雌ねじ部２０４ａに締め込む。スリーブ部材２０７を設け、その外周にコイルばね２０６を配置することで、組立て時にコイルばね２０６が脱落することを防止することができ、実施例１と比較して組立て性が向上する。
【００５１】
また、実施例１では、前側鏡筒２０３の光軸方向での位置決め機能を持つ位置決めピン２０５（雄ねじ部２０５ｃ）を後側鏡筒２０４（雌ねじ部２０４ａ）に対して締め込む量を正確に管理する必要があり、この結果、組み立て性を低下させる可能性がある。しかし、本実施例では、位置決めピン２０５の後側鏡筒２０４に対する締め込み量がスリーブ部材２０７により制限されるので、実施例１で必要とされるような締め込み量の管理は不要となり、組立て性をより向上させることができる。
【００５２】
さらに、本実施例では、前側鏡筒２０３は、その内周面が後側鏡筒２０４の外周面との間に適度なクリアランスＡを持つように配置されている。これにより、前側鏡筒２０３が、光軸に対する傾きを持って後側鏡筒２０４に対して後方に移動することが許容される。この結果、前側鏡筒２０３にこれを光軸に対して傾かせるような外力が作用した場合でも、これを吸収することができる。
【００５３】
なお、上記各実施例では、撮像装置に対して着脱可能な交換レンズとしてのレンズ装置について説明したが、上記各実施例にて説明した構成は、レンズ一体型撮像装置に搭載されるレンズ装置（レンズ鏡筒）にも適用することができる。
【００５４】
以上説明した各実施例は代表的な例にすぎず、本発明の実施に際しては、各実施例に対して種々の変形や変更が可能である。
【産業上の利用可能性】
【００５５】
外力に対する耐久性が高く、小型のレンズ装置を提供できる。
【符号の説明】
【００５６】
２  交換レンズ
２０３  前側鏡筒
２０４  後側鏡筒
２０５  位置決めピン
２０６  コイルばね
【図１】
2014089362.tif 000003
【図２】
2014089362.tif 000004
【図３】
2014089362.tif 000005
【図４】
2014089362.tif 000006